(57)【要約】      （修正有）【課題】廃棄時の分別作業を必要とせず、かつ封入が楽な使い勝手の良い、軽量の紙製緩衝封筒を提供する。【解決手段】ベロ部２を有する紙製封筒１の内面に、段山に対して直角と、更に斜めになる罫線５を施し、かつ段山を内向きに半折用罫線にて半折した片面段ボールシート４を両端部分９において段山を押し潰し、封筒開口縁７、８と接着させる。【選択図】図１
0003160366.tif 000002
【実用新案登録請求の範囲】
【請求項１】
ベロ部２を有する紙製封筒１の内面に、片面段ボールシート４を、段山を内向きに半折用罫線１０にて半折してその両端９を封筒開口縁（７、８）と接着させた事を特徴とする紙製緩衝封筒。
【請求項２】
緩衝材である片面段ボールシート４の両端９の段山部分を押し潰し、しかも段山に対して直角の罫線５と、更に斜めになる罫線５を施した請求項１の紙製緩衝封筒。
【請求項３】
少なくとも一方面に凹凸部により形成された緩衝面を有する1枚の台紙の中央部に上下の切欠部を設け、この切欠部の底辺及び側辺の延長線上に罫線を付して底部及び左右主体部並びにその上下側片を形成して内袋素形体を構成し、更に底部と右主体部との罫線を中心に緩衝面が互いに内向くよう左右主体部を重ね合わせると共に、右主体部の上下側片の角部をその折り曲げ傾斜稜線が切欠部方向に向くよう折り曲げて内袋とし、この内袋を外袋に挿入すると共に、内袋の底部を押圧し、直立させる事によって上下両側片を立ち上げるようにした事を特徴とする緩衝面付角底袋。
【考案の詳細な説明】
【技術分野】
【０００１】
本考案は、紙製封筒の内部に緩衝材を有する緩衝封筒において、使用後の廃棄に当り、再利用する場合はもちろんの事、焼却処理をする場合にも、分別作業を必要としない、片面段ボールシートを有する緩衝封筒に関する。また、本考案は、内袋に緩衝面を有する２重袋において、保管時は折り畳んでも嵩張らず、使用時はワンタッチで底部及び主体部並びに側片部を立ち上げる利便性と、緩衝性を併せ持つ緩衝面付角底袋に関する。
【背景技術】
【０００２】
緩衝封筒には、様々な構造のものが考案され実用化されている。例えば緩衝材にプラスチック気泡シートを使用したもの（特許文献１、特開2008-110815号公報）は、廃棄時に紙製封筒とプラスチック気泡シートの緩衝材とを分別する事が要求される。しかも、実際の分別作業を行うのは末端ユーザーであって、それに対する製造者の責任を如何に問うかが大きな社会問題になっている。
【０００３】
ところで、角底緩衝袋には、様々な構造のものが考案され実用化されている。例えば緩衝材を張り合わせたまま折り畳んだ物は嵩高く保管場所をとる。また緩衝材にプラスチック気泡シートを使用したものは、廃棄時に分別する事が要求される。しかも、実際の分別作業を行うのは末端ユーザーであって、それに対する製造者と販売者の責任を如何に問うかが大きな社会問題になっている。
【先行技術文献】
【特許文献】
【０００４】
【特許文献１】特開2008-110815号公報
【考案の概要】
【考案が解決しようとする課題】
【０００５】
本考案は上記課題を解決するためになされたもので、本考案の目的は、廃棄時の分別作業を必要とせず、かつ封入が楽な使い勝手のよい、軽量の紙製緩衝封筒を提供することである。
【０００６】
本考案の他の目的は、内袋に緩衝面を有する２重袋において、保管時は折り畳んで嵩張らず、使用時はワンタッチで底部及び主体部並びに側片部を立ち上げる利便性と緩衝性を併せ持つ緩衝面付角底袋を提供することである。
【課題を解決するための手段】
【０００７】
上記の目的を達成する本考案の分別廃棄が不要な軽量の紙製緩衝封筒は、図１及び図２及び図３及び図４にその構造を示すように、ベロ部２を有する紙製封筒１の内面に、段山に対して直角の罫線５と、更に斜めになる罫線５をそれぞれ施し、かつ段山を内向に半折用罫線１０にて半折した片面段ボールシート４の両端を縁部９のように段山を押し潰し、封筒開口縁（７、８）と接着させてあることを特徴とする。ここで言う罫線とは業界の俗称であって、溝を指すものである。
【０００８】
本考案の封筒は、以下を特徴とする。
【０００９】
（項目１）
ベロ部２を有する紙製封筒１の内面に、片面段ボールシート４を、段山を内向きに半折用罫線１０にて半折してその両端９を封筒開口縁（７、８）と接着させた事を特徴とする紙製緩衝封筒。
【００１０】
（項目２）
緩衝材である片面段ボールシート４の両端９の段山部分を押し潰し、しかも段山に対して直角の罫線５と、更に斜めになる罫線５を施した項目１の紙製緩衝封筒。
【００１１】
（項目３）
少なくとも一方面に凹凸部により形成された緩衝面を有する1枚の台紙の中央部に上下の切欠部を設け、この切欠部の底辺及び側辺の延長線上に罫線を付して底部及び左右主体部並びにその上下側片を形成して内袋素形体を構成し、更に底部と右主体部との罫線を中心に緩衝面が互いに内向くよう左右主体部を重ね合わせると共に、右主体部の上下側片の角部をその折り曲げ傾斜稜線が切欠部方向に向くよう折り曲げて内袋とし、この内袋を外袋に挿入すると共に、内袋の底部を押圧し、直立させる事によって上下両側片を立ち上げるようにした事を特徴とする緩衝面付角底袋。
【考案の効果】
【００１２】
本考案によれば、次の効果を有する。
（１）片面段ボールシートと紙製封筒のみで構成されている為、廃棄時の分別が不要であり、しかも軽量化できる。
（２）封筒開口縁（７、８）と片面段ボールシート４の両端が接着されているので、片面段ボールシートの縁部に封入物が引っかかりにくく、梱包、封入作業が楽で使い勝手が良い。
（３）片面段ボールシート４の両端を縁分９のように段山を押し潰したので、片面段ボールシート縁に封入物がひっかかりにくく、梱包、封入作業が楽で使い勝手がよい。
（４）片面段ボールシート４の段山に対して直角と、更に斜めになる罫線５をそれぞれ施したので、封筒内面に柔軟性が生まれ、封入物にフィットしやすい。
（５）少なくとも一方面に凹凸部１２aにより形成された緩衝面１２を有する1枚の台紙の中央部に上下の切欠部１３と１４を設け、この切欠部の底辺及び側辺の延長線上に罫線Ｘa、Ｘb、Ｙa、Ｙb、Ｚa、Ｚbを付して底部１５及び左右主体部１６、１７並びにその上下側片１８、１９、２０、２１を形成して内袋素形体Ｖを構成し、更に底部１５と右主体部１６との罫線Ｚbを中心に緩衝面１２が互いに内向くよう左右主体部１６、１７を重ね合せると共に右主体部１６の上下側片２０、２１の角部をその折り曲げ傾斜稜線２２、２３が切欠部方向に向くように折り曲げて内袋１１ｂとし、この内袋１１ｂを外袋１１ａに挿入すると共に、内袋の底部１５を押圧し、直立させる事によって上下両側片を立ち上げるようにする。
（６）内袋に罫線を付したので、保管時は折り畳んで嵩ばらず、使時に内袋の底部を押圧するだけでワンタッチで上下両側片を立ち上げる事ができて、嵩の高い品物の包装、梱包、収納ができる。
【図面の簡単な説明】
【００１３】
【図１】本考案の一実施形態による封筒の一部切欠斜視図である。
【図２】図１の封筒の断面図である。
【図３】図１の封筒の断面図である。
【図４】図１の封筒の片面段ボールシートの展開斜視図である。
【図５】緩衝面付角底袋の斜視図である。
【図６】外袋の平面図である。
【図７】内袋を構成する内袋素形体の展開図である。
【図８】内袋の平面図である。
【図９】内袋の底部押圧中の斜視図である。
【図１０】緩衝面付角底袋の立ち上げ寸前の斜視図である。
【考案を実施するための形態】
【００１４】
以下、添付図面を参照して、本考案をその好適な実施の形態に基づき詳細に説明する。
【００１５】
上記の目的を達成する本考案の分別廃棄が不要な軽量の紙製緩衝封筒は、図１及び図２及び図３及び図４にその構造を示すように、ベロ部２を有する紙製封筒１の内面に、段山に対して直角の罫線５と、更に斜めになる罫線５をそれぞれ施し、かつ段山を内向きに半折用罫線１０にて半折した片面段ボールシート４の両端を縁部９のように段山を押し潰して挿入し、封筒の開口縁（７、８）と接着させる。
【００１６】
また、製造効率を高める為に、図４に示すように、片面段ボールシート４の展開状態で、半折用罫線１０及び、段山に対して直角と、更に斜めになる罫線５及び、縁部９の段山の押し潰し及び接着剤塗布のすべてを同時加工すれば良い。
【００１７】
また、封緘作業を簡便にする為にはベロ部２に両面テープ又は粘着剤３を貼付した封筒を使用すれば、なお好ましい。
【００１８】
更に紙製封筒原紙を再生古紙７０％以上を使用することにより、片面段ボールシート４の使用と相まって、省資源等、環境保護に寄与し、社会貢献ができる。
【００１９】
図５は外袋１１ａに内袋１１ｂを挿入して組み合わせた状態を示す斜視図であって、この内袋１１ｂの形造りは、図７に示すものである。具体的には、少なくとも一方面に凹凸部１２aにより形成された緩衝面１２を有する１枚の台紙をもって内袋素形体Ｖを形成する。
【００２０】
しかして、この内袋素形体Ｖは中央部に上下の切欠部１３、１４を設け、この切欠部１３、１４の底辺１３a、１４a及び側辺１３b、１４bの延長線上に罫線Ｘa、Ｘb、Ｙa、Ｙb、Ｚa、Ｚbを付して底部１５及び左右主体部１６、１７並びにその上下側片１８、１９、２０、２１を形成して構成している。
【００２１】
さらに、図８に示すように内袋素形体Ｖの底部１５と右主体部１６との罫線Ｚbを中心に緩衝面１２が互いに内向くよう左右主体部１６、１７を重ね合わせると共に、右主体部１６の上下側片２０、２１の角部をその折り曲げ傾斜稜線２２、２３が切欠部１３、１４方向に向くよう折り曲げる事で内袋１１ｂが形成される。図１０は内袋１１ｂを図６の外袋１１ａに挿入後、図９のように内袋１１ｂの底部１５を押圧中の外袋１１ａと内袋１１ｂの状態を示しており、底部１５を押圧しきったところで、図５のように、上下両側片が完全に立ち上がり、収納空間Ｈが生まれる。
【産業上の利用可能性】
【００２２】
紙製封筒の内部に緩衝材を有する緩衝封筒において、使用後の廃棄に当り、再利用する場合はもちろんの事、焼却処理をする場合にも、分別作業を必要としない、片面段ボールシートを有する緩衝封筒を提供する。
【符号の説明】
【００２３】
１    紙製封筒
２    紙製封筒のベロ部部
３    両面テープ（粘着剤）
４    片面段ボールシート
５    罫線
６    接着剤
７    封筒表面開口縁
８    封筒裏面開口縁
９    段山押し潰し部分
１０  半折用罫線
１１ａ    外袋  
１１ｂ    内袋
１２a    凹凸部
１２      緩衝面
１３    上切欠部
１４    下切欠部
１５    底部
１６    右主体部
１７    左主体部
１８    上側片
１９    下側片
２０    上側片
２１    下側片
２２    折り曲げ傾斜稜線
２３    折り曲げ傾斜稜線
Ｖ      内袋素形体
Ｘａ    罫線
Ｘb    罫線
Ｙa    罫線
Ｙb    罫線
Ｚa    罫線
Ｚb    罫線
Ｈ    収納空間
【図１】
0003160366.tif 000003
【図２】
0003160366.tif 000004
【図３】
0003160366.tif 000005
【図４】
0003160366.tif 000006
【図５】
0003160366.tif 000007
【図６】
0003160366.tif 000008
【図７】
0003160366.tif 000009
【図８】
0003160366.tif 000010
【図９】
0003160366.tif 000011
【図１０】
0003160366.tif 000012
【手続補正書】
【提出日】平成22年4月13日(2010.4.13)
【手続補正１】
【補正対象書類名】実用新案登録請求の範囲
【補正対象項目名】全文
【補正方法】変更
【補正の内容】
【実用新案登録請求の範囲】
【請求項１】
ベロ部２を有する紙製封筒１の内面に、片面段ボールシート４を、段山を内向きに半折用罫線１０にて半折してその両端９を封筒開口縁（７、８）と接着させたことを特徴とする紙製緩衝封筒。
【請求項２】
緩衝材である片面段ボールシート４の両端９の段山部分を押し潰し、しかも段山に対して直角の罫線５と、更に斜めになる罫線５を施した請求項１に記載の紙製緩衝封筒。